(57)【特許請求の範囲】
【請求項１】
上下に離隔して設けられる一対の横板（３，３）と、上下に配置された横板（３，３）の左端部同士および右端部同士を架け渡すように配置される一対の側板（７，７）と、横板（３）と側板（７）とを連結するジョイント部材（１１）と、横板（３，３）および側板（７，７）により構成される空間の後端部に設けられる背板（１３）とを備え、
横板（３）は、矩形板状とされて水平に配置され、横板（３）の外周端部には、上方および下方へ突出してリブ状の突出片（２３）が周方向に連続して形成されて、横板（３）の外周部は、断面横向きＴ字形に形成され、横板（３）の前端辺および後端辺に形成される突出片（２３ａ，２３ａ）は、左右各側端辺の突出片（２３ｂ）よりさらに上下方向外側へ突出して形成され、
横板（３）の四隅（３ａ）には、矩形状の切欠き部が形成されていて、横板（３）の前後の左右両端部（３ａ）の切欠き部には、それぞれ上下方向中央部から左右方向外側へ突出して係合部（２５）が形成され、係合部（２５）は、基端部（２５ｂ）が断面矩形状とされる一方、先端部（２５ａ）が断面略円形状に形成され、
横板（３）には、その前端部から若干後方へ離隔した位置に、上方および下方へ突出して壁片（２９）が、左右方向に沿って形成されるとともに、横板（３）には、その後端部から前方 へ若干離隔した位置に、上方および下方に突出して壁片（２９）が、左右方向に沿って形成され、
横板（３）の前端部および後端部には、それぞれ突出片（２３ａ）および壁片（２９）により、それぞれ上方へ開口する溝（３１）が左右方向に沿って形成されると共に、横板（３）の下面の前端部と後端部に、それぞれ下方へ開口する溝（３１）が左右方向に沿って形成され、
横板（３）の前端部および後端部には、突出片（２３ａ）と壁片（２９）との間の溝（３１）の底部に、左右に離隔して２つの矩形状の貫通穴（３５，３５）が形成され、
横板（３）の左右方向中央部には、前後に離隔して、２つの矩形状の穴（３７，３７）が貫通して形成され、
側板（７）は、矩形板状とされ、垂直に立設されて配置され、側板（７）は、その前端部の上下両端部（７ａ，７ａ）および後端部の上下両端部（７ａ，７ａ）が、矩形状に切り欠かれており、
側板（７）の周囲には外周に沿って、左右方向外側へ突出して突出片（４３）が形成されていて、これにより側板（７）の外周部は、断面略Ｔ字形状に形成され、側板（７）の前端辺および後端辺に形成される突出片（４３ａ，４３ａ）は、上下各端辺の突出片（４３ｂ）よりさらに左右方向外側へ突出しており、
側板（７）の前後の上下両端部（７ａ，７ａ）の切欠き部には係合部（４４）が形成され、この切欠き部には、それぞれ左右方向中央部から、上下方向外側へ突出して矩形板状の係合部（４４）が形成されており、この係合部（４４）は、基端部（４４ｂ）が断面矩形状とされる一方、先端部（４４ａ）が断面円形状に形成され、
横板（３）の係合部（２５）と側板（７）の係合部（４４）は、同一形状とされ、
側板（７）の左面および右面には、その前端部から後方へ若干離隔した位置に、左右方向外側へ突出して、壁片（４５）が上下方向に沿って形成されるとともに、側板（７）の左面および右面には、その後端部から前方へ若干離隔した位置に、左右方向外側へ突出して、壁片（４５）が形成され、
側板（７）には、その右面の前端部および後端部に、それぞれ右側へ開口する溝（４７）が上下方向に沿って形成されるとともに、その左面の前端部および後端部に、それぞれ左側へ開口する溝（４７）が上下方向に沿って形成され、
側板（７）は、前後および左右が対称に形成され、
ジョイント部材（１１）は、断面正方形状のブロック体とされ、ジョイント部材（１１）は、その各側面の中央部に、前後方向に沿って、周方向に９０°ずつずれた位置に溝（６１）が形成されており、溝（６１）は、前後方向一方側へ開口していて、他方側は閉塞しており、各溝（６１）は、ジョイント部材（１１）の外側面から内側へ矩形状に形成され、その先端部（６１ａ）が円形状に拡幅して形成されていて、係合部（２５，４４）の形状に対応しており、
背板（１３）は、矩形板状とされ、その四隅は、斜めに切り欠かれ、背板（１３）の上端部は、その中央部（７１）が上方へ矩形状に突出して形成され、背板（１３）の下端部には、左右に離隔して、下方へ突出する矩形状の差込部（７３，７３）が形成され、各差込部（７３）の中央部には、溝が形成され、
下側の横板（３Ａ）の左右両端部に、側板（７，７）を立てた状態で配置され、ジョイント部材（１１）の溝（６１）に、横板（３）の係合部（２５）と側板（７）の下端部の係合部（４４）がはめ込まれ、下側の横板（３Ａ）の四隅にジョイント部材（１１Ａ）が配置され、ジョイント部材（１１Ａ）の左右方向内側の溝（６１）に横板（３）の係合部（２５）がはめ込まれ、ジョイント部材（１１Ａ）の上端部の溝（６１）に、側板（７）の下端部の係合部（４４）がはめ込まれ、背板（１３）は、その下端部が横板（３）の後端部の上側の溝（３１）にはめ込まれると共に、その差込部（７３，７３）が、溝（３１）の貫通穴（３５）にはめ込まれて立設され、背板（１３）の両側端部は、各側板（７）の後端部の左右方向内側の溝（４７）にはめ込まれ、ジョイント部材（１１Ｂ）の左右方向内側の溝（６１）に上側の横板（３Ｂ）の係合部（２５）がはめ込まれ、ジョイント部材（１１Ｂ）の下端部の溝（６１）に、側板（７）の上端部の係合部（４４）がはめ込まれて、上側の横板（３Ｂ）が側板（７）に連結され、
上側の横板（３Ｂ）の後端部の下側の溝（３１）に、背板（１３）の上端部（７１）がはめ込まれて、横板（３，３）と側板（７，７）により構成される筒状の空間の後端部を閉塞するように背板（１３）が設けられてなることを特徴とする収納ケース。
【発明の詳細な説明】
【技術分野】
【０００１】
本発明は、靴や衣類などを収納するのに使用される収納ケースに関するものである。
【背景技術】
【０００２】
従来、たとえば靴を収納する際には、玄関に据え置きされた下駄箱や、箱状のケースなどが使用される。据え置きの下駄箱の場合、多数の靴を収納することができる。また、箱状のケースの場合、一足ずつを各ケースに収納して、クローゼット等に保管しておくことができる。
【発明の概要】
【発明が解決しようとする課題】
【０００３】
しかしながら、据え置きの下駄箱や箱状のケースの場合、分解することができず、不要な場合に、場所をとってしまっていた。また、箱状のケースの場合、靴が複数ある場合には、靴を収納したケースを積み上げて保管することになり、不安定であり、積み上げたケースが崩れるおそれがあった。
【０００４】
本発明が解決しようとする課題は、組立と分解が自在であり、安定性のある収納ケースを提供することにある。
【課題を解決するための手段】
【０００５】
上下に離隔して設けられる一対の横板３，３と、上下に配置された横板３，３の左端部同士および右端部同士を架け渡すように配置される一対の側板７，７と、横板３と側板７を連結するジョイント部材１１と、横板３，３および側板７，７により構成される空間の後端部に設けられる背板１３とを備え、
横板３は、矩形板状とされて水平に配置され、横板３の外周端部には、上方および下方へ突出してリブ状の突出片２３が周方向に連続して形成されて、横板３の外周部は、断面横向きＴ字形に形成され、横板３の前端辺および後端辺に形成される突出片２３ａ，２３ａは、左右各側端辺の突出片２３ｂよりさらに上下方向外側へ突出して形成され、
横板３の四隅３ａには、矩形状の切欠き部が形成されていて、横板３の前後の左右両端部３ａの切欠き部には、それぞれ上下方向中央部から左右方向外側へ突出して係合部２５が形成され、係合部２５は、基端部２５ｂが断面矩形状とされる一方、先端部２５ａが断面略円形状に形成され、
横板３には、その前端部から若干後方へ離隔した位置に、上方および下方へ突出して壁片２９が、左右方向に沿って形成されるとともに、横板３には、その後端部から前方 へ若干離隔した位置に、上方および下方に突出して壁片２９が、左右方向に沿って形成され、
横板３の前端部および後端部には、それぞれ突出片２３ａおよび壁片２９により、それぞれ上方へ開口する溝３１が左右方向に沿って形成されると共に、横板３の下面の前端部と後端部に、それぞれ下方へ開口する溝３１が左右方向に沿って形成され、
横板３の前端部および後端部には、突出片２３ａと壁片２９との間の溝３１の底部に、左右に離隔して２つの矩形状の貫通穴３５，３５が形成され、
横板３の左右方向中央部には、前後に離隔して、２つの矩形状の穴３７，３７が貫通して形成され、
側板７は、矩形板状とされ、垂直に立設されて配置され、側板７は、その前端部の上下両端部７ａ，７ａおよび後端部の上下両端部７ａ，７ａが、矩形状に切り欠かれており、
側板７の周囲には外周に沿って、左右方向外側へ突出して突出片４３が形成されていて、これにより側板７の外周部は、断面略Ｔ字形状に形成され、側板７の前端辺および後端辺に形成される突出片４３ａ，４３ａは、上下各端辺の突出片４３ｂよりさらに左右方向外側へ突出しており、
側板７の前後の上下両端部７ａ，７ａの切欠き部には係合部４４が形成され、この切欠き部には、それぞれ左右方向中央部から、上下方向外側へ突出して矩形板状の係合部４４が形成されており、この係合部４４は、基端部４４ｂが断面矩形状とされる一方、先端部４４ａが断面円形状に形成され、
横板３の係合部２５と側板７の係合部４４は、同一形状とされ、
側板７の左面および右面には、横板３の前端部から後方へ若干離隔した位置に、左右方向外側へ突出して、壁片４５が上下方向に沿って形成されるとともに、側板７の左面および右面には、横板３の後端部から前方へ若干離隔した位置に、左右方向外側へ突出して、壁片４５が形成され、
側板７には、その右面の前端部および後端部に、それぞれ右側へ開口する溝４７が上下方向に沿って形成されるとともに、その左面の前端部および後端部に、それぞれ左側へ開口する溝４７が上下方向に沿って形成され、
側板７は、前後および左右が対称に形成され、
ジョイント部材１１は、断面正方形状のブロック体とされ、ジョイント部材１１は、その各側面の中央部に、前後方向に沿って、周方向に９０°ずつずれた位置に溝６１が形成されており、溝６１は、前後方向一方側へ開口しており、他方側は閉塞しており、各溝６１は、ジョイント部材１１の外側面から内側へ矩形状に形成され、その先端部６１ａが円形状に拡幅して形成されていて、係合部２５，４４の形状に対応しており、
背板１３は、矩形板状とされ、その四隅は、斜めに切り欠かれ、背板１３の上端部は、その中央部７１が上方へ矩形状に突出して形成され、背板１３の下端部には、左右に離隔して、下方へ突出する矩形状の差込部７３，７３が形成され、各差込部７３の中央部には、溝が形成され、
下側の横板３Ａの左右両端部に、側板７，７を立てた状態で配置され、ジョイント部材１１の溝６１に、横板３の係合部２５と側板７の下端部の係合部４４がはめ込まれ、下側の横板３Ａの四隅にジョイント部材１１Ａが配置され、ジョイント部材１１Ａの左右方向内側の溝６１に横板３の係合部２５がはめ込まれ、ジョイント部材１１Ａの上端部の溝６１に、側板７の下端部の係合部４４がはめ込まれ、背板１３は、その下端部が横板３の後端部の上側の溝３１にはめ込まれると共に、その差込部７３，７３が、溝３１の貫通穴３５にはめ込まれて立設され、背板１３の両側端部は、各側板７の後端部の左右方向内側の溝４７にはめ込まれ、ジョイント部材１１Ｂの左右方向内側の溝６１に上側の横板３Ｂの係合部２５がはめ込まれ、ジョイント部材１１Ｂの下端部の溝６１に、側板７の上端部の係合部４４がはめ込まれて、上側の横板３Ｂが側板７に連結され、
上側の横板３Ｂの後端部の下側の溝３１に、背板１３の上端部７１がはめ込まれて、横板３，３と側板７，７により構成される筒状の空間の後端部を閉塞するように背板１３が設けられてなることを特徴とする収納ケース。
【発明の効果】
【００１０】
本発明によれば、組立と分解が自在であり、安定性のある収納ケースを提供することができる。
【図面の簡単な説明】
【００１１】
【図１】本発明の収納ケースの一実施例を示す斜視図である。
【図２】図１の収納ケースの平面図である。
【図３】図２のＡ−Ａ断面図である。
【図４】図１のα部の断面図である。
【図５】図１の収納ケースの分解斜視図である。
【図６】図１の収納ケースの横板を示す斜視図である。
【図７】図６のＢ−Ｂ断面図である。
【図８】図１の収納ケースの側板を示す斜視図である。
【図９】図８のＣ−Ｃ断面図である。
【図１０】図８のＤ−Ｄ断面図である。
【図１１】図１の収納ケースのジョイント部材を示す斜視図である。
【図１２】図１の収納ケースの背板を示す斜視図である。
【図１３】収納部を上下に二つ配置した状態を示す斜視図である。
【図１４】収納ケースの別の組立例を示す斜視図である。
【図１５】収納部を左右に二つ配置した状態を示す斜視図である。
【発明を実施するための形態】
【００１２】
以下、本発明の収納ケースの一実施例について図面に基づいて具体的に説明する。
【００１３】
図１は、本発明の収納ケースの一実施例を示す斜視図であり、図２は、図１の収納ケースの平面図であり、図３は、図２のＡ−Ａ断面図である。図４は、図１のα部の断面図である。図５は、図１の収納ケースの分解斜視図である。図６は、横板を示す斜視図であり、図７は、図６のＢ−Ｂ断面図である。
【００１４】
本実施例の収納ケース１は、上下に離隔して設けられる一対の横板３，３と、上下に配置された横板３，３の左端部同士および右端部同士を架け渡すように配置される一対の側板７，７と、横板３と側板７を連結するジョイント部材１１と、横板３，３および側板７，７により構成される空間の後端部に設けられる背板１３とを主要部に備える。各部材３，７，１１，１３は、プラスチックなどの合成樹脂により形成されている。
【００１５】
横板３は、矩形板状とされ、水平に配置される。横板３は、その前端部の左右両端部３ａおよび後端部の左右両端部３ａが、矩形状に切り欠かれている。つまり、横板３の四隅３ａには、矩形状の切欠き部が形成されており、この切欠き部に後述する係合部２５が形成されている。
【００１６】
また、横板３の外周端部には、上方および下方へ突出してリブ状の突出片２３が連続して形成されている。この際、横板３の前端辺および後端辺に形成される突出片２３ａ，２３ａは、左右各側端辺の突出片２３ｂよりさらに上下方向外側へ突出している。このように、横板３の周囲には外周に沿って、上下方向外側へ突出して突出片２３が形成されており、これにより横板３の外周部は、断面横向きＴ字形に形成されている。
【００１７】
横板３の前後の左右両端部３ａ（前記切欠き部）には、それぞれ上下方向中央部から左右方向外側へ突出して矩形板状の前記係合部２５が形成されている。係合部２５の先端部（左右方向外側端部）２５ａは、円形状に膨出して形成されている。つまり、係合部２５は、突出片２３側の基端部２５ｂが断面矩形状とされる一方、先端部２５ａが断面略円形状に形成されている。このように、横板３の四隅３ａには、係合部２５が形成されている。
【００１８】
横板３には、その前端部から若干後方へ離隔した位置に、上方および下方へ突出して壁片２９が、左右方向に沿って形成されている。同様に、横板３には、その後端部から前方へ若干離隔した位置に、上方および下方に突出して壁片２９が、左右方向に沿って形成されている。
【００１９】
横板３の前端部および後端部には、それぞれ突出片２３ａおよび壁片２９により左右方向に沿う溝３１が形成されている。すなわち、横板３には、その上面の前端部と後端部に、それぞれ上方へ開口する溝３１が左右方向に沿って形成されると共に、その下面の前端部と後端部に、それぞれ下方へ開口する溝３１が左右方向に沿って形成されている。
【００２０】
図２に示すように、横板３の前端部および後端部には、突出片２３ａと壁片２９との間に、左右に離隔して２つの矩形状の貫通穴３５，３５が形成されている。つまり、溝３１の底部には、左右方向に離隔して、２箇所に矩形状の貫通穴３５，３５が形成されている。
【００２１】
横板３の左右方向中央部には、前後に離隔して、２つの矩形状の穴３７，３７が貫通して形成されている。
【００２２】
なお、横板３には、強度確保のため、適宜凹凸を付してもよい。図示例の場合、横板３には、左右に離隔して、上方へ円弧状に突出する複数の突出部３９が前後方向に沿って形成されている。そして、その内の中央の突出部３９の頂部に前記穴３７が形成されている。
【００２３】
本実施例では、横板３は、前後および左右が対称に形成されている。
【００２４】
図８は、側板を示す斜視図である。また、図９は、図８のＣ−Ｃ断面図であり、図１０は、図８のＤ−Ｄ断面図である。
【００２５】
側板７は、矩形板状とされ、垂直に立設されて配置される。側板７は、その前端部の上下両端部７ａ，７ａおよび後端部の上下両端部７ａ，７ａが、矩形状に切り欠かれている。つまり、側板７の四隅７ａには、矩形状の切欠き部が形成されており、この切欠き部には後述する係合部４４が形成されている。
【００２６】
また、側板７の外周端部には、左側および右側へ突出してリブ状の突出片４３が連続して形成されている。この際、側板７の前端辺および後端辺に形成される突出片４３ａ，４３ａは、上下各端辺の突出片４３ｂよりさらに左右方向外側へ突出している。このように、側板７の周囲には外周に沿って、左右方向外側へ突出して突出片４３が形成されており、これにより側板７の外周部は、断面略Ｔ字形状に形成されている。
【００２７】
側板７の前後の上下両端部７ａ，７ａ（前記切欠き部）には、それぞれ左右方向中央部から、上下方向外側へ突出して矩形板状の係合部４４が形成されている。この係合部４４の先端部（上下方向外側端部）４４ａは、円形状に膨出して形成されている。つまり、係合部４４は、突出片４３側の基端部４４ｂが断面矩形状とされる一方、先端部４４ａが断面円形状に形成されている。
【００２８】
このように、側板７の四隅には、係合部４４が形成されている。本実施例では、横板３の係合部２５と側板７の係合部４４は、同一形状とされる。
【００２９】
また、側板７の左面および右面には、その前端部から後方へ若干離隔した位置に、左右方向外側へ突出して、壁片４５が上下方向に沿って形成されている。同様に、側板７の左面および右面には、その後端部から前方へ若干離隔した位置に、左右方向外側へ突出して、壁片４５が形成されている。
【００３０】
側板７の前端部および後端部には、突出片４３ａおよび壁片４５により上下方向に沿う溝４７が形成されている。つまり、側板７には、その右面の前端部および後端部に、それぞれ右側へ開口する溝４７が上下方向に沿って形成されており、その左面の前端部および後端部に、それぞれ左側へ開口する溝４７が上下方向に沿って形成されている。
【００３１】
本実施例では、側板７は、前後および左右が対称に形成されている。
【００３２】
図１１は、ジョイント部材を示す斜視図である。
【００３３】
ジョイント部材１１は、断面正方形状のブロック体とされる。ジョイント部材１１は、その各側面の中央部に、前後方向に沿って溝６１が形成されている。つまり、ジョイント部材１１には、周方向に９０°ずつずれた位置に溝６１が形成されている。溝６１は、前後方向一方側へ開口しており、他方側は閉塞している。
【００３４】
各溝６１は、ジョイント部材１１の外側面から内側へ矩形状に形成され、さらに、その先端部６１ａが円形状に拡幅して形成されており、係合部２５，４４の形状に対応している。
【００３５】
図１２は、背板を示す斜視図である。
【００３６】
背板１３は、矩形板状とされる。本実施例では、背板１３は、その四隅が、斜めに切り欠かれている。背板１３の上端部は、その中央部７１が上方へ矩形状に突出して形成されている。
【００３７】
また、背板１３の下端部には、左右に離隔して、下方へ突出する矩形状の差込部７３，７３が形成されている。各差込部７３の中央部には、溝が形成されている。
【００３８】
これらの部材３，７，１１，１３により、図１に示す収納ケース１を構成する際、まず、下側の横板３Ａと側板７，７を、ジョイント部材１１により連結する。
【００３９】
具体的には、下側の横板３Ａの左右両端部に、側板７，７を立てた状態で配置する。そして、ジョイント部材１１を前後方向にスライドさせて、ジョイント部材１１の溝６１に、横板３の係合部２５と側板７の下端部の係合部４４をはめ込む。図１に示す状態では、下側の横板３Ａの四隅にジョイント部材１１Ａが配置され、ジョイント部材１１Ａの左右方向内側の溝６１に横板３の係合部２５がはめ込まれ、ジョイント部材１１Ａの上端部の溝６１に、側板７の下端部の係合部４４がはめ込まれる。このようにして、下側の横板３Ａの左右に側板７，７が、それぞれ連結される。
【００４０】
次に、横板３の後端部の溝３１に、背板１３がはめ込まれる。具体的には、背板１３は、その下端部が横板３の後端部の上側の溝３１にはめ込まれると共に、その差込部７３，７３が、溝３１の貫通穴３５にはめ込まれて立設される。また、背板１３の両側端部は、各側板７の後端部の左右方向内側の溝４７にはめ込まれて設けられる。
【００４１】
そして、上側の横板３Ｂが、各側板７の上端部にジョイント部材１１Ｂを介して取り付けられる。つまり、ジョイント部材１１Ｂの左右方向内側の溝６１に上側の横板３Ｂの係合部２５がはめ込まれ、ジョイント部材１１Ｂの下端部の溝６１に、側板７の上端部の係合部４４がはめ込まれて、上側の横板３Ｂが側板７に連結される。
【００４２】
上側の横板３Ｂを側板７，７に取り付ける際、上側の横板３Ｂの後端部の下側の溝３１に、背板１３の上端部７１がはめ込まれ、横板３，３と側板７，７により構成される筒状の空間の後端部を閉塞するように背板１３が設けられる。このようにして、上側の横板３Ｂと側板７，７とが連結される。
【００４３】
このように、各部材３，７，１１，１３を組み合わせることで、前方へ開口する矩形状の収納部Ｓを有する収納ケース１が形成される。
【００４４】
横板３および側板７の各係合部２５，４４は、その先端部２５ａ，４４ａが基端部２５ｂ，４４ｂより幅が広く形成されている。これにより、各係合部２５，４４がジョイント部材１１の溝６１にはめ込まれた状態では、横板３や側板７を上下方向および左右方向に引っ張っても横板３および側板７がジョイント部材１１から抜けることがなく、安定性に優れている。
【００４５】
図１３は、収納部を上下に二つ配置した状態を示す斜視図である。
【００４６】
本実施例の収納ケース１は、収納部Ｓを増やすことが可能とされる。
【００４７】
たとえば、図１において、上側の横板３Ｂを各側板７に取り付ける際に、各側板７の上方に側板７をもう１つ取り付ければよい。具体的には、図１３に示すように、ジョイント部材１１Ｂの上側の溝６１に、上側に配置される側板７Ｂの下側の係合部４４をはめ込んで側板７Ａの上方に側板７Ｂを取り付ければよい。そして、上側の側板７Ｂ，７Ｂの上端部同士を架け渡すように、横板３を取り付けて、上下２段の収納部Ｓを有する構成としてもよい。
【００４８】
このように、側板７を順次上方へ連結していくことで、上方へ収納部Ｓを増やすことができる。
【００４９】
本実施例では、収納部Ｓを左右に分割する仕切板を横板３に取り付けることができる。
仕切板は、背板１３と同一形状とされる。換言すれば、背板１３を仕切板１３として使用することができる。本実施例では、仕切板１３の下端部の差込部７３，７３を、横板３の中央部の穴３７，３７にはめ込み立設させることで、収納部Ｓを左右に分割することができる。この際、仕切板１３の上端部７１が、上側の横板３Ｂの左右方向中央部の突出部３９の下部に差し込まれることで、仕切板１３は立設した状態が維持され、傾くことがない。
【００５０】
図１４は、本実施例の収納ケースの別の組立例を示す斜視図である。
【００５１】
図１４に示すように、ジョイント部材１１を介して側板７を上下に重ねて配置する際、上下方向中央部に横板３を取り付けないようにすることで、上下に長い収納部Ｓを構成でき、ブーツなど上下に長い靴を収納できる。換言すれば、図１３の状態において、上下方向中央部の横板３を取り外すことで、上下に長い収納部Ｓとすることができる。
この際、背板１３を上下に設けることができる。具体的には、下側の横板３Ａの後端部の上側の溝３１に、下側の背板１３の下端部をはめ込んで、下側の背板１３を取り付ける。また、上側の横板３Ｃの後端部の下側の溝３１に、上側の背板１３の上端部７１をはめ込んで、上側の背板１３を取り付けることで、２つの背板１３を上下に配置することができる。
【００５２】
図１５は、収納部を左右に二つ配置した状態を示す斜視図である。
【００５３】
図１において、右側の側板７の右側に、上下に離隔して横板３，３を配置し、右側の４つのジョイント部材１１Ａ，１１Ａ，１１Ｂ，１１Ｂの右側面の溝６１に、その横板３の左側の係合部２５をはめ込み、横板３，３の右端部同士を連結するように側板７を連結することで、収納部Ｓを左右に２つ有した収納ケース１が構成される。
【００５４】
このように、本実施例では、上方に収納部Ｓを順次増やすことができると共に、左右方向にも収納部Ｓを増やすことが可能である。そして、その際、上下または左右に隣接する収納部Ｓ間の仕切りとなる横板３や側板７を取り付けるか否かにより、用途に合わせた組立が可能である。
【００５５】
本実施例の収納ケース１は、複数の部材３，７，１１，１３により構成されており、組立と分解が自在とされ、不要な場合には分解して収納しておくことができる。また、各部材３，７，１１，１３は、プラスチック等の合成樹脂により形成されていることで軽量であり、収納ケース１の移動が容易とされる。
【００５６】
また、横板３や側板７を、ジョイント部材１１を介して連結していくことで、収納部Ｓの数を増やしたり、全体の形状を変更したりすることができる。さらに、上下に配置される側板７，７同士がジョイント部材１１により連結されることで、収納ケース１の高さが高くなっても安定する。
【００５７】
本発明の収納ケースは、上記実施例の構成に限らず、適宜変更可能である。
たとえば、上記実施例では、ジョイント部材１１は、矩形状とされたが、円柱形状としてもよい。この場合、上記実施例と同様に、周方向に等間隔に離隔して、４か所に溝６１を形成すればよい。
【００５８】
また、上記実施例では、収納ケース１に靴を収納する場合について説明したが、衣類などを収納するのに使用しても構わない。
【００５９】
さらに、上記実施例では、背板を設けることで、前方に開口する収納部を構成したが、背板を設けずに、前後方向に開口する収納部を構成するようにしても構わない。
【符号の説明】
【００６０】
１  収納ケース
３  横板
７  側板
１１  ジョイント部材
１３  背板
２５  係合部
４４  係合部
【図１】
0005926233.tif 000002
【図２】
0005926233.tif 000003
【図３】
0005926233.tif 000004
【図４】
0005926233.tif 000005
【図５】
0005926233.tif 000006
【図６】
0005926233.tif 000007
【図７】
0005926233.tif 000008
【図８】
0005926233.tif 000009
【図９】
0005926233.tif 000010
【図１０】
0005926233.tif 000011
【図１１】
0005926233.tif 000012
【図１２】
0005926233.tif 000013
【図１３】
0005926233.tif 000014
【図１４】
0005926233.tif 000015
【図１５】
0005926233.tif 000016